(57)【要約】【課題】  放送番組に関連するウェブページへのアクセスを簡単かつ確実に実行する。【解決手段】  外部ウェブサーバ１２４の各放送局のサイト、あるいは汎用検索サイトに、番組特定情報とＵＲＬの情報管理テーブルを設けると共に、放送受信装置１００に各放送局のサイトあるいは汎用検索サイトのＵＲＬを記憶させておき、放送受信装置１００で番組を視聴中に、番組のウェブページを閲覧する際、記憶しているＵＲＬを読み出して、視聴している番組の放送局のサイトまたは汎用検索サイトにアクセスすると共に、視聴している番組を特定する情報を出力して、サイトの情報管理テーブルに基づいて、その番組のＵＲＬを取得して、ウェブページを閲覧するように構成した。【選択図】  図１
2005295257.tif 000002
【特許請求の範囲】
【請求項１】
放送信号を受信する受信手段と、
画像を表示する表示手段と、
前記受信手段で受信された放送番組を特定する情報を取得する番組特定情報取得手段と、
前記番組特定情報と当該番組特定情報で特定される番組のＵＲＬでなる情報管理テーブルが設けられた外部ウェブサーバのサイトのＵＲＬが予め記憶された記憶媒体から当該ＵＲＬを取得する手段と、
前記外部ウェブサーバとの間でデータの通信を行なう通信手段と、
この通信手段を駆使して前記取得したＵＲＬに基づき、前記外部ウェブサーバのサイトにアクセスすると共に、前記番組特定情報取得手段で取得された番組特定情報により前記情報管理テーブルから当該番組のＵＲＬを取得し、そのウェブページのデータを取得して画像を構築し、前記表示手段で表示させる制御手段と、
を具備したことを特徴とする放送受信装置。
【請求項２】
前記外部ウェブサーバのサイトは、放送局のサイトであることを特徴とする請求項１に記載の放送受信装置。
【請求項３】
前記外部ウェブサーバのサイトは、汎用検索サイトであることを特徴とする請求項１に記載の放送受信装置。
【請求項４】
放送番組を特定する番組特定情報と該番組特定情報で特定される番組のＵＲＬでなる情報管理テーブルが所定のＵＲＬのサイトに設けられた外部ウェブサーバと、
放送信号を受信する受信手段及び画像を表示する表示手段及び前記受信手段で受信された放送番組を特定する情報を取得する番組特定情報取得手段及び前記外部ウェブサーバとの間でデータの通信を行なう通信手段及び前記外部ウェブサーバの前記情報管理テーブルが設けられたサイトのＵＲＬが予め記憶された記憶媒体から当該ＵＲＬを取得する手段及び前記通信手段を駆使して前記取得したＵＲＬに基づき、前記外部ウェブサーバのサイトにアクセスすると共に、前記番組特定情報取得手段で取得された番組特定情報により前記情報管理テーブルから当該番組のＵＲＬを取得し、そのウェブページのデータを取得して画像を構築し、前記表示手段で表示させる制御手段とを有した放送受信装置と、
でなることを特徴とする放送番組関連情報取得システム。
【請求項５】
前記外部ウェブサーバのサイトは、放送局のサイトであることを特徴とする請求項４に記載の放送番組関連情報取得システム。
【請求項６】
前記外部ウェブサーバのサイトは、汎用検索サイトであることを特徴とする請求項４に記載の放送番組関連情報取得システム。
【請求項７】
放送信号を受信するステップと、
前記受信された放送番組を特定する情報を取得するステップと、
前記番組特定情報と当該番組特定情報で特定される番組のＵＲＬでなる情報管理テーブルが設けられた外部ウェブサーバのサイトのＵＲＬを取得するステップと、
前記取得したＵＲＬに基づき、外部ウェブサーバのサイトにアクセスすると共に、前記番組特定情報取得手段で取得された番組特定情報により前記情報管理テーブルから当該番組のＵＲＬを取得し、そのウェブページのデータを取得して画像を構築して表示させるステップと、
を具備したことを特徴とする放送番組関連情報取得方法。
【発明の詳細な説明】
【技術分野】
【０００１】
本発明は、インターネットを介してウェブサーバから所望情報を取得して閲覧する機能を有した放送受信装置に関し、特に視聴している放送番組に関連するウェブページに簡単にアクセスできるようにした放送受信装置及び放送番組関連情報取得システムに関する。
【背景技術】
【０００２】
デジタルテレビジョン放送の実施に伴い、ユーザの視聴形態が、提供される番組を一方的に受けるものから、放送事業者に対して応答を返す機能を備えて、情報のやり取りを双方向で行なう形態に変わりつつある。
【０００３】
ユーザが放送事業者に応答を行なう手段としては、電話回線を用いたものが一般であり、テレビジョン受像機に内蔵されたモデムを介して放送事業者に情報を伝送している。
【０００４】
一方で、電話回線を用いたインターネットサービスも一般家庭に広く普及してきており、幅広い内容の情報を取得できるようになってきている。
【０００５】
インターネットを日頃から使っているユーザが、放送番組を視聴しているときに、その番組に関するより詳しい情報を、インターネットで取得したいという要求を持つことは自然の成り行きであると考えられる。そのような場合、ユーザは、その番組の放送が終わるのを待って、パソコンを立ち上げて、インターネットで情報を取得するという作業を行なうことになる。
【０００６】
電話回線による通信手段を具備したテレビジョン受像機において、折角備えられている通信手段を放送事業者への情報の応答のみに限定して使うことは有効活用とはいえず、例えば受像機内にブラウザソフトを組み込んで、インターネットによって情報を取得できるようにすれば、番組を見ていて詳細を知りたい事項が出てきた場合に、即インターネットにアクセスすることができ、例えば受像機の画面を２つに分けて、片側でブラウザを表示するように構成すれば、番組を見ながら情報を閲覧することができる。
【０００７】
昨今、そのようなインターネット接続機能を搭載したテレビジョン受像機も市場に出回りつつあり、多様な情報を手軽に取得することができるようになった。しかしながら、インターネットによる検索は、場合によっては相当な時間が掛かることがあり、より簡単に目的の情報を取得できるようにするということが、次の課題として取り上げられるようになっている。
【０００８】
インターネット検索処理を簡単に行って、番組に関連する情報を手軽に取得するという課題を解決しようとする試みもなされており、例えば特許文献１には、テレビジョン放送において多重化されて伝送される文字情報の中から、視聴している番組に関連する文字情報を抽出し、抽出した文字情報の単語をキーワードとしてＵＲＬ（Uniform Resource Locator）アドレス情報を検索して番組に関連するアドレス情報を取得し、それに基づいて、インターネットにアクセスしてウェブページの情報を取り込んで表示させるようにした提案が示されている。
【０００９】
この提案においては、番組に関連する文字情報に基づいて、検索を行うため、番組に関連するウェブページのアドレス情報をそれなりに取得することが可能ではあるが、検索のキーワードとして用いる文字情報が適切でないと目的のウェブページにアクセスすることができないという問題を含んでいる。あるいは検索の結果、必ずしも一つのウェブページを導き出すことができるとは限らず、複数の候補が挙げられることもあり、その場合、それぞれのウェブページにアクセスしてみないと目的のウェブページであるか否か判断することができず、操作が面倒になるという問題を有している。
【特許文献１】特開２００３−２１９３７４号公報（第６．７頁、図１）
【発明の開示】
【発明が解決しようとする課題】
【００１０】
以上のように、従来、インターネット接続機能を備えたテレビジョン受像機において、放送に多重伝送される文字情報を抽出して、それをキーワードとして用いることで、番組に関連したウェブページを検索して、そのページの画像を表示するようにした提案がなされているが、文字情報が適切に抽出できないと、目的のウェブページにたどり着くまでに多くの操作をする必要があり、必ずしも使い勝手がよいものとはいえなかった。
【００１１】
本発明は、以上の点に鑑みてなされたものであり、視聴している番組を特定する情報とその番組に関連するウェブページのＵＲＬを対にした情報テーブルを備え、番組視聴中に関連するウェブページを閲覧したい場合に、その情報テーブルからＵＲＬを取得してウェブページにアクセスしてその画像を表示させるように構成することで、番組に関連するウェブページに簡単にかつ確実にアクセスすることが可能な放送受信装置及び番組関連情報取得システムを提供することを目的とする。
【課題を解決するための手段】
【００１２】
本発明の放送受信装置は、放送信号を受信する受信手段と、画像を表示する表示手段と、前記受信手段で受信された放送番組を特定する情報を取得する番組特定情報取得手段と、前記番組特定情報と当該番組特定情報で特定される番組のＵＲＬでなる情報管理テーブルが設けられた外部ウェブサーバのサイトのＵＲＬが予め記憶された記憶媒体から当該ＵＲＬを取得する手段と、前記外部ウェブサーバとの間でデータの通信を行なう通信手段と、この通信手段を駆使して前記取得したＵＲＬに基づき、前記外部ウェブサーバのサイトにアクセスすると共に、前記番組特定情報取得手段で取得された番組特定情報により前記情報管理テーブルから当該番組のＵＲＬを取得し、そのウェブページのデータを取得して画像を構築し、前記表示手段で表示させる制御手段と、を具備したことを特徴とする。
【００１３】
本発明の放送番組関連情報取得システムは、放送番組を特定する番組特定情報と該番組特定情報で特定される番組のＵＲＬでなる情報管理テーブルが所定のＵＲＬのサイトに設けられた外部ウェブサーバと、放送信号を受信する受信手段及び画像を表示する表示手段及び前記受信手段で受信された放送番組を特定する情報を取得する番組特定情報取得手段及び前記外部ウェブサーバとの間でデータの通信を行なう通信手段及び前記外部ウェブサーバの前記情報管理テーブルが設けられたサイトのＵＲＬが予め記憶された記憶媒体から当該ＵＲＬを取得する手段及び前記通信手段を駆使して前記取得したＵＲＬに基づき、前記外部ウェブサーバのサイトにアクセスすると共に、前記番組特定情報取得手段で取得された番組特定情報により前記情報管理テーブルから当該番組のＵＲＬを取得し、そのウェブページのデータを取得して画像を構築し、前記表示手段で表示させる制御手段とを有した放送受信装置と、でなることを特徴とする。
【００１４】
さらに本発明の放送番組関連情報取得方法は、放送信号を受信するステップと、前記受信された放送番組を特定する情報を取得するステップと、前記番組特定情報と当該番組特定情報で特定される番組のＵＲＬでなる情報管理テーブルが設けられた外部ウェブサーバのサイトのＵＲＬを取得するステップと、前記取得したＵＲＬに基づき、外部ウェブサーバのサイトにアクセスすると共に、前記番組特定情報取得手段で取得された番組特定情報により前記情報管理テーブルから当該番組のＵＲＬを取得し、そのウェブページのデータを取得して画像を構築して表示させるステップと、を具備したことを特徴とする。
【発明の効果】
【００１５】
本発明によれば、視聴している番組を特定する情報とその番組に関連するウェブページのＵＲＬを対にした情報テーブルから、視聴中の番組のＵＲＬを容易に取得できるようになるものである。
【発明を実施するための最良の形態】
【００１６】
以下、図面を参照しながら本発明の放送受信装置の一実施の形態を詳細に説明する。  
図１は、本発明のテレビジョン放送受信装置１００の一実施の形態を示す回路ブロック図である。図１に示す装置は、アナログ放送とデジタル放送の両方を視聴可能に構成されており、アナログ放送用のチューナ部１０１とデジタル放送受信用のチューナ部１０２を備える。
【００１７】
アナログチューナ部１０１は、アンテナ入力端子１０３を介してアナログ放送受信用のアンテナ１０４に接続され、デジタルチューナ部１０２は、アンテナ入力端子１０５を介して、デジタル放送受信用のアンテナ１０６に接続されている。デジタル放送は衛星放送あるいは地上波放送である。
【００１８】
アナログチューナ部１０１は、アンテナ１０４でキャッチされた放送信号に含まれる複数のチャンネルの中から所望のチャンネルを選局して、その受信信号を復調部１０７に出力する。復調部１０７では、映像信号の検波を行い、検波されたアナログ映像信号をＡ／Ｄコンバータ１０８に導出する。Ａ／Ｄコンバータ１０８では、入力されるアナログ映像信号をデジタル信号に変換してグラフィックス処理／重畳部１０９に導出する。
【００１９】
グラフィックス処理／重畳部１０９にはＡ／Ｄコンバータ１０８の出力の他、後述するデジタル放送の映像信号等複数の映像信号が入力され、グラフィックス処理／重畳部１０９は、それら入力される複数の映像信号を択一的に選択して出力する他、入力される複数の映像信号の中から選択した２つの映像信号を同じ画面で表示させるいわゆる二画面表示のための処理を行い、さらに映像信号のフォーマット変換処理、後述するＯＳＤ（On Screen Display）信号を放送番組の映像信号に重畳する処理等を実行する。
【００２０】
グラフィックス処理／重畳部１０９の出力は、映像信号処理部１１０に供給され、映像信号処理部１１０では、入力された映像信号をディスプレイ１１１で表示させるための処理を施す。すなわち、例えば入力されたデジタル映像信号をアナログ信号に変換し、標準テレビジョンフォーマットに変換する等の処理を実行して、ディスプレイ１１１に出力してそれを表示させる。
【００２１】
また、デジタルチューナ部１０２は、アンテナでキャッチされた放送信号に含まれる複数のチャンネルの中から所望のチャンネルを選局し、さらにそれによって得られる受信信号の復調、誤り訂正、必要に応じてスクランブル解除等の処理を施し、ＭＰＥＧ（Moving Picture Experts Group）２のＴＳ（Transport Stream）としてデマルチプレクサ１１２に出力する。
【００２２】
デマルチプレクサ１１２では、ＴＳを構成する各種パケットをパケット毎に分離抽出して出力する。例えば番組を構成するＰＥＳ（Packetized Elementary Stream）は、デコーダ１１３に供給されて、ここでデコードされる。ＰＥＳに含まれる映像パケットは例えばＭＰＥＧ２規格に基づいて復号されて、非圧縮のデジタル映像信号としてグラフィックス処理／重畳部１０９に導出される。
【００２３】
さらに、テレビジョン放送受信装置１００は、ＯＳＤ信号生成部１１４を備える。このＯＳＤ信号生成部１１４では、グラフィックス処理／重畳部１０９で選択された映像信号に重畳させるためのＯＳＤ信号を生成するものである。ＯＳＤ信号としては、例えば各種設定を行なうためのメニュー画面等のＧＵＩ（Graphical User Interface）形式の画面を構築するための信号であり、ディスプレイ１１１に画面表示されると後述するリモートコントローラのカーソルキーと決定キーによって項目を選択してそれを登録することが可能である。
【００２４】
さらに、テレビジョン放送受信装置１００は、各部の動作、機能を調整するための制御部１１５を備えている。
【００２５】
制御部１１５は、例えばＭＰＵ（Micro Processing Unit）で構成され、アナログチューナ部１０１及びデジタルチューナ部１０２のチャンネル切換え、グラフィックス処理／重畳部１０９の制御、映像信号処理部１１０の制御、デマルチプレクサ１１２のパケット分離抽出、デコーダ１１３の復号等の制御を行なう。
【００２６】
このため、制御部１１５には、各種処理プログラムが格納されたＲＯＭ（Read Only Memory）１１６とワークメモリとしてのＲＡＭ（Random Access Memory）１１７が接続され、さらに設定メニュー等で設定されたデータを保存するための不揮発性メモリ１１８が接続されている。
【００２７】
また、ＲＯＭ１１６には、インターネットのブラウザであるＨＴＭＬ（Hypertext Markup Language）ブラウザのプログラムが格納されており、制御部１１５では、後述する外部ウェブサイトから読み込んだウェブページのデータをそのブラウザプログラムに基づいて、ＲＡＭ１１７を用いて表示のための画面に構築し、それを映像信号選択部１０９とグラフィックス処理部１１４に導出する機能を有しており、制御部１１５の中にＨＴＭＬブラウザ１１９としてブロックで示している。
【００２８】
さらにまた、ＲＯＭ１１６には、デジタル放送で多重伝送されるメタデータから、例えばＥＰＧ（Electronic Program Guide）あるいは地域の天気予報、ニュース等の表示画面を構築するためのＢＭＬ（Broadcast Markup Language）ブラウザのプログラムも格納されており、制御部１１５内部に機能としてＢＭＬブラウザ１２０をブロック図で示している。ＢＭＬブラウザもまた、ＲＡＭ１１７を用いて表示画面を構築する。
【００２９】
さらにＲＯＭ１１６には、以上のような各種アプリケーションソフトの他、ＯＳＤ信号生成部１１４でＯＳＤ信号を生成するための、文字、記号、キャラクタ等のデータも保存されている。
【００３０】
さらに、制御部１１５には、通信Ｉ／Ｆ（Interface）１２１が、通信端子１２２との間に接続されており、この通信Ｉ／Ｆ１２１を介してインターネット１２３と接続されて、インターネット１２３に接続された外部ウェブサーバ１２４にアクセス可能となるように構成されている。
【００３１】
通信Ｉ／Ｆ１２１は、例えばＴＣＰ／ＩＰ（Transmission Control Protocol/Internet Protocol）に準拠した通信機能を備えたモデムを含む。なお、ウェブサーバ１２４は、当然ながら物理的には複数存在するもので、例えばそれぞれ異なるＩＰアドレスが付されてネット１２３上で個々に特定できるように設けられており、後述する放送局毎のウェブサイトも、それぞれ異なるサーバ内に構築されるものである。図１においては、それらを全てまとめてウェブサーバ１２４として示している。
【００３２】
さらに、制御部１１５には、赤外線受光部１２５と操作入力部１２６が接続されており、赤外線受光部１２５は、リモートコントローラ１２７からのリモコン信号を受けてこれを制御部１１５に導出する。また、操作入力部１２６は、テレビジョン放送受信装置１００の例えば前面パネルに設けられた複数のスイッチで構成され、リモートコントローラ１２７と併せて、ユーザがテレビジョン放送受信装置１００の機能の切換え、調整、動作設定等を行なう際に操作されるものである。
【００３３】
さらにまた、制御部１１５は内部に、例えばシステムクロックに基づいて、現在時刻情報を生成するための時計手段を備えている。この現在時刻情報は、例えば、テレビジョン放送受信装置１００を始めて動作させる際に、ユーザが操作入力部１２６を操作して、修正設定することが可能であり、一度駆動したら、継続的に動作をするものであり、また例えば時報等を利用して定期的に時刻を修正させる機能を備えているものである。
【００３４】
なお、図１に示すブロック図では、音声信号処理系が示されていないが、これは本発明の説明をより解り易くするために省略した結果であり、当然ながらテレビジョン放送受信装置１００としては、音声信号処理系を含むものである。例えば、アナログ放送については、復調部１０７から音声中間周波信号を抽出して、これを検波、増幅して、スピーカ等の音声出力手段で出力することが可能である。また、デジタル放送については、デコーダ１１３で音声データをデコードし非圧縮のデジタル音声信号を得、さらにそれをアナログ信号に変換して、スピーカ等の音声出力手段で出力することが可能である。
【００３５】
図２にリモートコントローラ１２７のキー配置の例を示す。図２に示すように、リモートコントローラ１２７は、アナログ放送のチャンネル切換え、あるいは数字／文字データ入力時等に使用する数字キー２０１を有する。数字キー２０１は、１〜１２のキーで構成され、さらにそれらキーに対してかな文字とアルファベットが割り当てられている。例えば数字「１」が付されたキーは、あ行のかな（ひらがな、カタカナ）文字と、アルファベットのＡＢＣ及びその小文字が入力可能である。
【００３６】
さらにリモートコントローラ１２７は、デジタル衛星放送のチャンネルを直接切換えるための数字キー２０２を有する。さらにリモートコントローラ１２７は、カーソルキー２０３と、カーソルキー２０３で選択した項目を登録（決定）するための決定キー２０４を有し、さらに、チャンネルをアップ／ダウン選局するためのチャンネルアップ／ダウンキー２０５と、音量を増大させ、または減少させるための音量調整キー２０６と、テレビジョン放送受信装置１００の電源をオン／オフするための電源キー２０７を有する。
【００３７】
さらにリモートコントローラ１２７は、通信Ｉ／Ｆ１２１を起動して外部ウェブサーバ１２４にアクセスすると共に、ＨＴＭＬブラウザ１１９を立ち上げるためのインターネットキー２０８と、処理を終了させる終了キー２０９と、表示画面を戻す際等に使用する戻るキー２１０と、ＢＭＬブラウザ１２０を起動して、多重伝送されるデータを表示させるためのｄキー２１１と、各種機能を設定するためのメニューを画面表示させるためのメニューキー２１２と、二画面表示を制御するための二画面キー２１３と、ＢＭＬブラウザ１２０を起動してＥＰＧを画面表示させるための番組表キー２１４を備える。
【００３８】
以上のように構成されたテレビジョン放送受信装置１００において、放送番組を視聴するには、リモートコントローラ１２７の数字キー２０１あるいは２０２の所望の受信チャンネル番号の数字キーを操作する。それによって、制御部１１５は、赤外線受光部１２４を介してリモートコントロール信号を受けて、対応するチューナ部１０１，１０２の選局処理を実行する。
【００３９】
例えば、数字キー２０１の「１」が操作されたとすると、アナログチューナ部１０１が１チャンネルを受信するように制御され、それによって復調部１０７、Ａ／Ｄコンバータ１０８を介して受信したチャンネル１の映像信号がグラフィックス処理／重畳部１０９に導出される。制御部１１５は、グラフィックス処理／重畳部１０９に対して、Ａ／Ｄコンバータ１０８の出力を選択して映像信号処理部１１０に導出するように指示を出すと共に、映像信号信号処理部１１０を制御して表示に必要な処理を施してディスプレイ１１１に出力させる。それによってＡ／Ｄコンバータ１０８の出力がディスプレイ１１１で表示され、アナログ放送１チャンネルの視聴が行なわれる。
【００４０】
その状態で、リモートコントローラ１２７のチャンネルアップ／ダウンキー２０５を操作すれば、制御部１１５は、それを受けて、アナログチューナ部１０１の選局チャンネルを順次アップあるいはダウンさせて、受信したチャンネルで放送が行なわれていれば、それを視聴することができる。
【００４１】
さらに、デジタル放送を受信するには、リモートコントローラ１２７のデジタル放送チャンネルを直接選択するための数字キー２０２を操作する。それによって、制御部１１５は、デジタルチューナ部１０２を制御して、操作された数字キーに対応するチャンネルを選局させる。例えば、「１」が操作されたらＮＨＫ（日本放送協会）の１０１チャンネルが選局され、デマルチプレクサ１１２で番組を構成するＰＥＳが分離され、デコーダ１１３でデコードされてグラフィックス処理／重畳部１０９に導出される。制御部１１５は、グラフィックス処理／重畳部１０９をデコーダ１１３の出力を選択するように制御し、さらに映像信号処理部１１０を制御する。その結果、デコーダ１１３でデコードされた映像信号が、ディスプレイ１１１で表示され１０１チャンネルの視聴が行なわれる。
【００４２】
さらに、他のチャンネルの番組を視聴するには、リモートコントローラ１２７の数字キー２０２の所望のチャンネルに相当する数字キーを操作するか、あるいはチャンネルアップ／ダウンキー２０５を操作する。
【００４３】
あるいはまたデジタル放送に多重伝送されるメタデータからＥＰＧの番組表を構築してディスプレイ１１１に表示させ、視聴したい番組を選択することも可能である。
【００４４】
すなわち、ＥＰＧの番組表を表示させる場合には、リモートコントローラ１２７の番組表キー２１４を操作する。それによって制御部１１５は、デマルチプレクサ１１２を制御して、多重伝送されるメタデータに含まれるＳＩ（Service Information）からＥＰＧのデータを取得して解析すると共に、ＢＭＬブラウザ１２０を駆動してＲＡＭ１１７の所定領域を用いてＥＰＧの画面を構築させ出力させる。同時に制御部１１５は、グラフィックス処理／重畳部１０９と映像信号処理部１１０を制御して、ＥＰＧ番組表をディスプレイ１１１に表示させる。
【００４５】
表示された番組表からリモートコントローラ１２７のカーソルキー２０３と決定キー２０４を用いて、視聴したい番組を選択することが可能である。あるいはまた、将来の放送番組の視聴予約も行なうことができる。
【００４６】
また、デジタル放送を視聴している状態において、例えば番組に多重で伝送されるデータ放送の内容を画面表示させたい場合は、リモートコントローラ１２７のｄキー２１１を操作する。それによって、制御部１１５は、デマルチプレクサ１１２を制御してデータ放送のパケットを分離させ、それを受けて解析すると共に、ＢＭＬブラウザ１２０を立ち上げ、ＲＡＭ１１７の所定領域を用いて表示画面を構築し、それを出力する。
【００４７】
ＢＭＬブラウザ１２０で構築されたデータ放送画面は、制御部１１５の制御の下、グラフィックス処理／重畳部１０９で番組映像の端に表示されるように処理されて映像信号処理部１１０を介してディスプレイ１１１に供給されて表示される。
【００４８】
番組の映像と組合わせて表示されるデータ放送の内容としては、例えば、地域の天気予報、ニュース等、番組とは関係しない情報であったり、あるいは番組内容を紹介する文等であったりする。
【００４９】
本発明は、以上のように構成されたテレビジョン放送受信装置１００において、視聴している番組に関連するウェブページのＵＲＬを簡単にかつ確実に得られるようにしたものであるが、以下それを実現するための構成について詳細に説明する。
【００５０】
本発明の一実施の形態では、テレビジョン放送受信装置１００で受信可能な放送局がウェブサーバ１２４内に構築しているサイト内に、当該放送局で少なくとも現在放送されている番組を特定する番組特定情報と、その番組のウェブページのＵＲＬを対にした情報管理テーブルを設けておくことが前提となっている。ウェブサーバ１２４内のその情報管理テーブルが設けられたサイトにテレビジョン放送受信装置１００から番組特定情報を送り、情報管理テーブルを検索して、同じ番組特定情報と対のＵＲＬを特定して、そのウェブページを閲覧できるように構成したものである。
【００５１】
すなわち、放送番組を特定する情報として、デジタル放送であるならば、付加情報として多重伝送されるデータ中の、ｎｅｔｗｏｒｋ＿ｉｄ、ｓｅｒｖｉｃｅ＿ｉｄ、ｅｖｅｎｔ＿ｉｄ等を用いることによって、放送局と番組を特定することが可能である。それらを単独あるいは組合わせて番組特定情報として用いることができる。  
また、アナログ放送であるならば、チャンネル番号と放送時間で番組を特定することができる。ここにおいて、チャンネル番号は、同じ放送局であっても、地域によって異なる番号があてがわれている場合があり、ここでは、あくまでも、当該放送局のウェブサイトを特定することが可能なチャンネル番号を指す。
【００５２】
図３は、デジタル放送の番組に関連するＵＲＬを特定するために、ウェブサーバ１２４内に設けられた情報管理テーブルの例を示す図である。図に示すように、情報管理テーブル３０１は、基本的に番組ｉｄ３０２とＵＲＬ３０３で構成されている。なお、図３の番組タイトル３０４は、理解し易くするために付け加えたものであり、実際には存在しなくても目的の機能は達成される。
【００５３】
図３に示すように、番組ｉｄとしては、例えば放送局を特定する部分（１２３）と番組タイトルに対応した部分（４５６他）でなり、ＵＲＬは、放送局のホームページのＵＲＬ（ｈｔｔｐ：／／ｗｗｗ．１２３．ｃｏｍ）の下層に、番組毎に番組名を含んで異なる書式で特定されるように構成されている。
【００５４】
また、図４は、アナログ放送の番組に関連するＵＲＬを特定するために、ウェブサーバ１２４内に設けられた情報管理テーブルの例を示すものである。図に示すように、情報管理テーブル４０１は、基本的に、チャンネル番号４０２と放送日時４０３と図３と同様な書式のＵＲＬ４０４で構成され、この場合も番組タイトル４０５は必ずしも必要ではない。
【００５５】
図３，４に示す情報管理テーブル３０１，４０１は、それぞれ放送局によって管理され、新たな番組が放送される前に必要に応じてデータが追加されたり、あるいは毎週定期的に放送される番組については、逐次データが更新されることになる。
【００５６】
また、各局が設けられたウェブサーバ１２４内の放送局内のサイトには、さらに、送られてくる番組特定情報からＵＲＬを特定するための所定の検索エンジンが設けられている。
【００５７】
さらに、テレビジョン放送受信装置１００には、視聴しているチャンネルの放送局のＵＲＬを提供する情報管理テーブルが設けられている。図５は、チャンネル番号とその放送局のホームページのＵＲＬを対で管理する情報管理テーブル５０１であり、チャンネル番号５０２に対してＵＲＬ５０３が示されている。図５に示す情報管理テーブル５０１は、不揮発性メモリ１１８に記憶されており、そのＵＲＬデータは、通信Ｉ／Ｆ１２１によって、ウェブサーバ１２４から逐次ダウンロードして最新のものに更新することが可能である。あるいは、ユーザが手動によって更新登録させることも可能である。
【００５８】
次に、具体的な処理手順について説明する。図１に示すテレビジョン放送受信装置１００において、今、デジタルチューナ部１０２で受信したデジタル放送を視聴しているものとする。その状態において、視聴している番組に関連するウェブページを閲覧する場合、ユーザはリモートコントローラ１２７のインターネットキー２０８を操作する。
【００５９】
制御部１１５はそれによって、ＨＴＭＬブラウザ１１９を立ち上げると共に、通信Ｉ／Ｆ１２１を起動して、インターネット１２３に接続する。
【００６０】
さらに制御部１１５は、不揮発性メモリ１１８に蓄積されている図５に示す情報管理テーブルを参照して、現在視聴中の番組を放送している放送局の例えばホームページのＵＲＬを特定して、ＴＨＭＬブラウザ１１９に取り込み、通信Ｉ／Ｆ１２１とインターネット１２３を介してウェブサーバの当該ＵＲＬにアクセスして放送局のホームページと接続する。
【００６１】
次に、制御部１１５は、デマルチプレクサ１１２を駆使して、視聴している番組に多重されている付加情報から、視聴している番組を特定するためのｉｄ情報を抽出して解析し、図３に示す番組ｉｄを構築して、これをＨＴＭＬブラウザに取り込んで、通信Ｉ／Ｆ１２１、インターネット１２３を介して、接続が確立されている放送局のサイトに伝送する。
【００６２】
放送局のサイトは、伝送されてくる番組ｉｄを受けたら、検索エンジンを駆使して、図３の情報管理テーブルに基づいて、ＵＲＬを検索する。すなわち、伝送されてきた番組ｉｄと同じ番組ｉｄに対応するＵＲＬを抽出して、そのＵＲＬのウェブページのデータをウェブサーバ１２４からインターネット１２３と通信Ｉ／Ｆ１２１を介して制御部１１５に送る。
【００６３】
制御部１１５はＨＴＭＬブラウザ１１９を駆使して送られたデータから画像を構築して、グラフィックス処理／重畳部１０９、映像信号処理部１１０を介してディスプレイ１１１に送って表示させる。
【００６４】
また、視聴している番組が、アナログ放送である場合、ユーザが視聴している番組に関連するウェブページを閲覧すべく、リモートコントローラ１２７のインターネットキー２０８を操作すると、制御部１１５はＨＴＭＬブラウザ１１９を立ち上げると共に、通信Ｉ／Ｆ１２１を起動して、インターネット１２３に接続する。
【００６５】
さらに制御部１１５は、不揮発性メモリ１１８に蓄積されている図５に示す情報管理テーブルを参照して、現在視聴中の番組を放送している放送局の例えばホームページのＵＲＬを特定して、ＴＨＭＬブラウザ１１９に取り込み、通信Ｉ／Ｆ１２１とインターネット１２３を介してウェブサーバの当該ＵＲＬにアクセスして放送局のホームページと接続する。
【００６６】
次に、制御部１１５は、現在視聴中の番組の放送チャンネルを示す情報と、自らの時計手段によって生成される現在日時情報とによって構成される番組特定情報を、ＨＴＭＬブラウザに取り込んで、通信Ｉ／Ｆ１２１、インターネット１２３を介して、接続が確立されている放送局のサイトに伝送する。
【００６７】
放送局のサイトは、伝送されてきた番組特定情報を受けたら、検索エンジンを駆使して、図４の情報管理テーブルに基づいて、ＵＲＬを検索する。すなわち、伝送されてきたチャンネル番号情報と、現在時刻情報とから当該番組に対応するＵＲＬを抽出して、そのＵＲＬのウェブページのデータをウェブサーバ１２４からインターネット１２３と通信Ｉ／Ｆ１２１を介して制御部１１５に送る。
【００６８】
制御部１１５はＨＴＭＬブラウザ１１９を駆使して送られたデータから画像を構築して、グラフィックス処理／重畳部１０９、映像信号処理部１１０を介してディスプレイ１１１に送って表示させる。
【００６９】
以上によって、放送番組を視聴中に、その番組を放送している放送局の、その番組のウェブページを閲覧することができるものである。なお、ウェブページのディスプレイ１１１での表示は、番組視聴に障害とならないように、画面の半分を使って行なうように構成するか、あるいはさらに小さく縮小した状態で行わせることも可能である。ウェブページをいかなる状態で表示させるかは、予め設定しておくことが可能である。
【００７０】
例えば、テレビジョン受信装置１００の初期設定を行う際の一つの設定項目として構成することが可能である。ユーザは、リモートコントローラ１２７のメニューキー２１２を操作して、メニュー画面に入って、設定をすることが可能である。それによって、例えば、ＨＴＭＬブラウザ１１９を起動した際に、ディスプレイ１１１の画面のそれぞれ半分づつを使って番組の映像とウェブページを表示させることができる（二画面表示）。
【００７１】
図６は、二画面表示の例を示すものであり、画面６０１の左側に、放送番組の映像６０２が表示され、右側にウェブページの画像６０３が表示されている。
【００７２】
図７は、図３〜図５で説明した実施の形態の動作を改めて、説明するためのフローチャートである。図において、ステップＳ７０１で開始され、ステップＳ７０２で所望の放送番組の視聴を行う。次に、ステップＳ７０３でリモートコントローラ１２７のインターネットキー２０８が操作されたか否かの判定がなされ、操作されたことが判定されたらステップＳ７０４で、視聴している番組を放送している放送局のサイトのＵＲＬを図５に示す管理情報テーブルから取得する。
【００７３】
次に、ステップＳ７０５で、ＨＴＭＬブラウザ１１９を立ち上げると共に、通信Ｉ／Ｆ１２１を起動して、ウェブサーバ１２４内に構築されている、視聴している番組放送局のウェブサイトにアクセスする。
【００７４】
次に、ステップＳ７０６で視聴している番組を特定する情報を取得して放送局のウェブサイトに送り、サイト内の検索エンジンを駆使して、サイト内の図３または図４に示す情報管理テーブルから番組のＵＲＬを取得する。
【００７５】
次に、ステップＳ７０７で取得したＵＲＬのウェブページのデータを、インターネット１２３と通信Ｉ／Ｆ１２１を介して、ウェブサーバ１２４から、制御部１１５に取り込んで、ＨＴＭＬブラウザ１１９でそのウェブページの画像を構築して、ディスプレイ１１１で表示させ、ステップＳ７０８で処理を終了する。
【００７６】
以上説明した本発明の実施の形態によれば、ウェブサーバ１２４の放送局のサイト内に、予め、番組を特定する情報とその番組のＵＲＬを管理する情報管理テーブルと、番組特定情報でこの情報管理テーブルを検索することが可能な検索エンジンとを設けておき、視聴している番組のウェブページを閲覧する場合には、まず、ウェブサーバ１２４の放送局のサイトにアクセスしてから、そのサイト内の情報管理テーブルを、番組特定情報で検索することで、番組のＵＲＬを特定し、そのウェブページのデータを受信装置側に取り込んでＨＴＭＬブラウザ１１９で画像に構築して表示するようにしたので、視聴している番組のウェブページを簡単かつ確実に閲覧することができるものである。
【００７７】
なお、以上説明した実施の形態においては、テレビジョン放送受信装置１００内に、図５に示す、放送チャンネルとその放送局のウェブサイトのＵＲＬを管理するテーブルを設けるように構成するものとして説明したが、放送局のサイトのＵＲＬは、ユーザが例えば、ＨＴＭＬブラウザ１１９が立ち上がってから、そのアドレス欄に、リモートコントローラ１２７の数字キー２０１の文字入力機能を使って直接ＵＲＬを入力するように構成してもよい。
【００７８】
それによれば、図５に示す情報管理テーブルが不要になり、そのため、不揮発性メモリ１１８を有効活用できるようになり、なによりも情報管理テーブルのメンテナンスが不要になるため、取り扱いが簡素になって使い勝手が向上する。
【００７９】
また、他に独自サーバを設けて、デジタル放送及びアナログ放送の各放送局のサイトのＵＲＬを、番組を特定する情報（ｉｄあるいはチャンネル番号と放送日時情報）で管理するように構成することもできる。また、各放送局をユニークなｉｄで管理して、汎用の検索サイトで局サイトのＵＲＬを取得するように構成することも可能である。この場合においても、情報管理テーブルのメンテナンスが不要になる等、使い勝手が向上するものである。
【００８０】
以上、説明した実施の形態においては、視聴している番組のウェブページのデータを取得する際に、まず、その番組を放送している放送局のサイトにアクセスして、それから、そのサイト内に設けられている検索エンジンを駆使して、同じくサイト内に設けられている情報管理テーブルから番組のＵＲＬを取得するものであるが、番組を特定する情報とＵＲＬの情報管理テーブルを、汎用の検索サイトに配設することで、放送局のサイトにアクセスする手間を省略することができる。この実施の形態においては、放送局側から、汎用の検索サイトに、番組を特定する情報とＵＲＬの情報管理テーブルが提供されることが前提となっている。
【００８１】
図８は、汎用検索サイトに提供される情報管理テーブルの一例を示すものであり、デジタル放送の番組用のものである。  
図８において、情報管理テーブル８０１は、基本的に図３に示すものと同様な、番組ｉｄ８０２と、その番組のウェブページのＵＲＬ８０３で構成されている。図に示すように、番組ｉｄ８０２としては、例えば放送局を特定する部分（１２３）と番組タイトルに対応した部分（０１他）でなり、ＵＲＬ８０３は、放送局のホームページのＵＲＬ（ｈｔｔｐ：／／ｗｗｗ．１２３．ｃｏｍ）の下層に、番組毎に番組名を含んで異なる書式で特定されるように構成されている。なお、図８において、放送局名８０４と番組タイトル８０５に関しては、必ずしも必要ではない。
【００８２】
また、図９は、情報管理テーブルのアナログ放送用の一例を示すものである。図９に示すように、情報管理テーブル９０１は、基本的に、チャンネル番号９０２と放送日時９０３と図８と同様な書式のＵＲＬ９０４で構成され、この場合も放送局名９０５と番組タイトル９０６は必ずしも必要ではない。
【００８３】
図８，９の情報管理テーブル８０１，９０１を用いた実施の形態の処理手順について説明する。  
今、デジタル放送番組を視聴中に、リモートコントローラ１２７のインターネットキー２０８が操作されたとする。制御部１１５はそれを受けて、ＨＴＭＬブラウザ１１９を立ち上げると共に、通信Ｉ／Ｆ１２１を起動して、インターネット１２３に接続する。
【００８４】
次に、制御部１１５は、予め不揮発性メモリ１１８に記憶されている汎用検索サイトのＵＲＬを読み出して、ＨＴＭＬブラウザ１１９に取り込み、通信Ｉ／Ｆ１２１、インターネット１２３を介してウェブサーバ１２４に送って、汎用検索サイトにアクセスする。
【００８５】
さらに、制御部１１５は、デマルチプレクサ１１２を駆使して、視聴している番組に多重されている付加情報から、視聴している番組を特定するためのｉｄ情報を抽出して解析し、図８に示す番組ｉｄを構築して、これをＨＴＭＬブラウザに取り込んで、通信Ｉ／Ｆ１２１、インターネット１２３を介して、接続が確立されている汎用検索サイトに伝送する。
【００８６】
汎用検索サイトは、伝送されてきた番組ｉｄを受けたら、検索エンジンを駆使して、図８の情報管理テーブルに基づいて、ＵＲＬを検索する。すなわち、伝送されてきた番組ｉｄと同じ番組ｉｄに対応するＵＲＬを抽出して、そのＵＲＬのウェブページのデータをウェブサーバ１２４からインターネット１２３と通信Ｉ／Ｆ１２１を介して制御部１１５に送る。
【００８７】
制御部１１５はＨＴＭＬブラウザ１１９を駆使して送られたデータから画像を構築して、グラフィックス処理／重畳部１０９、映像信号処理部１１０を介してディスプレイ１１１に送って表示させる。
【００８８】
また、視聴している番組が、アナログ放送である場合、ユーザが視聴している番組に関連するウェブページを閲覧すべく、リモートコントローラ１２７のインターネットキー２０８を操作すると、制御部１１５は、ＨＴＭＬブラウザ１１９を立ち上げると共に、通信Ｉ／Ｆ１２１を起動して、インターネット１２３に接続する。
【００８９】
さらに制御部１１５は、不揮発性メモリ１１８に蓄積されている汎用検索サイトのＵＲＬを読み出して、ＴＨＭＬブラウザ１１９に取り込み、通信Ｉ／Ｆ１２１とインターネット１２３を介してウェブサーバの当該ＵＲＬにアクセスして当該検索サイトと接続する。
【００９０】
次に、制御部１１５は、現在視聴中の番組の放送チャンネルを示す情報と、自らの時計手段によって生成される現在日時情報とによって構成される番組特定情報を、ＨＴＭＬブラウザに取り込んで、通信Ｉ／Ｆ１２１、インターネット１２３を介して、接続が確立されている放送局のサイトに伝送する。
【００９１】
放送局のサイトは、伝送されてきた番組特定情報を受けたら、検索エンジンを駆使して、図９の情報管理テーブルに基づいて、ＵＲＬを検索する。すなわち、伝送されてきたチャンネル番号情報と、現在時刻情報とから当該番組に対応するＵＲＬを抽出して、そのＵＲＬのウェブページのデータをウェブサーバ１２４からインターネット１２３と通信Ｉ／Ｆ１２１を介して制御部１１５に送る。
【００９２】
制御部１１５はＨＴＭＬブラウザ１１９を駆使して送られたデータから画像を構築して、グラフィックス処理／重畳部１０９、映像信号処理部１１０を介してディスプレイ１１１に送って表示させる。
【００９３】
以上によって、視聴している番組のウェブページを閲覧することができるようになるものである。  
図８，９の情報管理テーブルを用いた処理について、図１０のフローチャートを参照して改めて説明する。図１０において、ステップＳ１００１で開始され、ステップＳ１００２で所望の放送番組の視聴を行う。次に、ステップＳ１００３でリモートコントローラ１２７のインターネットキー２０８が操作されたか否かの判定がなされ、操作されたことが判定されたらステップＳ１００４で、汎用検索サイトのＵＲＬを不揮発性メモリ１１８から読み出す。
【００９４】
次に、ステップＳ１００５で、ＨＴＭＬブラウザ１１９を立ち上げると共に、通信Ｉ／Ｆ１２１を起動して、ウェブサーバ１２４内の汎用検索サイトにアクセスする。
【００９５】
次に、ステップＳ１００６で、視聴している番組を特定する情報を取得して汎用検索ウェブサイトに送り、検索エンジンを駆使して、サイト内の図８または図９に示す情報管理テーブルから番組のＵＲＬを取得する。
【００９６】
次に、ステップＳ１００７で、取得したＵＲＬのウェブページのデータを、インターネット１２３と通信Ｉ／Ｆ１２１を介して、ウェブサーバ１２４から制御部１１５に送り込んで、ＨＴＭＬブラウザ１１９でそのウェブページの画像を構築してディスプレイ１１１で表示させ、ステップＳ１００８で処理を終了する。
【００９７】
この実施の形態においては、汎用の検索サイトを用いて、番組のＵＲＬを得るようにしたので、より簡単にかつ確実に視聴している番組のウェブページのＵＲＬを取得することができ、使い勝手が向上するものである。
【００９８】
以上のように本発明の放送受信装置によれば、放送局のウェブサイトあるいは汎用検索サイトに、放送番組を特定する情報でそのＵＲＬを検索することができる情報管理テーブルを設け、デジタル放送に多重伝送される付加情報から番組を特定する情報を取得すると共に、アナログ放送の受信チャンネルと放送日時情報に基づいて番組特定情報を取得し、それに基づいて情報管理テーブルを検索して番組のＵＲＬを取得するようにしたので、番組視聴中に、そのウェブページに簡単かつ確実にアクセスすることができ、閲覧することができるようになるものである。
【図面の簡単な説明】
【００９９】
【図１】本発明に係る放送受信装置の一実施の形態を示す回路ブロック図。
【図２】図１の装置に適用されるリモートコントローラのキー配置の一例を示す図。
【図３】図１の装置からアクセスされるウェブサイトに設けられる情報管理テーブルの一実施の形態を示す図。
【図４】図１の装置からアクセスされるウェブサイトに設けられる情報管理テーブルの他の実施の形態を示す図。
【図５】図１の装置に設けられる情報管理テーブルの一実施の形態を示す図。
【図６】図１の装置の動作を説明するための図。
【図７】図１の装置の、図３または図４に示す情報管理テーブルに基づく動作を説明するためのフローチャート。
【図８】図１の装置からアクセスされるウェブサイトに設けられる情報管理テーブルのさらに他の実施の形態を示す図。
【図９】図１の装置からアクセスされるウェブサイトに設けられる情報管理テーブルのさらに他の実施の形態を示す図。
【図１０】図１の装置の、図８または図９に示す情報管理テーブルに基づく動作を説明するためのフローチャート。
【符号の説明】
【０１００】
１００…テレビジョン放送受信装置
１０１…アナログチューナ部
１０２…デジタルチューナ部
１０３，１０５…アンテナ入力端子
１０４…アナログ放送受信アンテナ
１０６…デジタル放送受信アンテナ
１０７…復調部
１０８…Ａ／Ｄコンバータ
１０９…グラフィックス処理／重畳部
１１０…映像信号処理部
１１１…ディスプレイ
１１２…デマルチプレクサ
１１３…デコーダ
１１４…ＯＳＤ信号生成部
１１５…制御部
１１６…ＲＯＭ
１１７…ＲＡＭ
１１８…不揮発性メモリ
１１９…ＨＴＭＬブラウザ
１２０…ＢＭＬブラウザ
１２１…通信Ｉ／Ｆ
１２２…通信端子
１２３…インターネット
１２４…ウェブサーバ
１２５…赤外線受光部
１２６…操作入力部
１２７…リモートコントローラ
【図１】
2005295257.tif 000003
【図２】
2005295257.tif 000004
【図３】
2005295257.tif 000005
【図４】
2005295257.tif 000006
【図５】
2005295257.tif 000007
【図６】
2005295257.tif 000008
【図７】
2005295257.tif 000009
【図８】
2005295257.tif 000010
【図９】
2005295257.tif 000011
【図１０】
2005295257.tif 000012